(57)【要約】【課題】画像および音声データを記録する際の操作性を向上させ、発言内容の機密性の保護および操作者の秘匿性を確保すること。【解決手段】会議などを画像データと音声データとして記録する際に、記録に残したくない場面となった場合、参加者が自ら席を離れてビデオカメラ１０２の前面や、記録をおこなう記録装置１０１を操作する位置へ移動し、記録を中断させる操作を撮影されることなく、スイッチ１０４ａ〜１０４ｄや、ユーザ端末装置４０３ａ〜４０３ｄからの操作信号を操作部２０４から入力し、制御部２０３の制御によって記録を中断させることができるので、参加者の発言内容の機密性の保護および操作者の秘匿性を確保し、自由な発言を促すことができる。【選択図】        図３
2005072768.tif 000002
【特許請求の範囲】
【請求項１】
撮影対象となる複数の操作者によって画像および音声の記録動作を操作可能な画像記録装置であって、
前記撮影対象を撮影する撮影手段の画像データが入力される画像入力手段と、
前記撮影対象の音声を取得する音声取得手段の音声データが入力される音声入力手段と、
前記画像入力手段に入力された前記画像データと、前記音声入力手段に入力された前記音声データと、を記録する記録手段と、
前記記録手段による記録の開始または中断を切り換える前記操作をおこなうために、前記操作者にそれぞれ設けられる複数の操作手段と、
前記複数の操作手段の操作を検出して前記記録手段による前記画像データおよび前記音声データの記録の開始、または中断の制御をおこなう制御手段と、
を備えることを特徴とする画像記録装置。
【請求項２】
前記制御手段は、前記複数の操作手段のなかの一つの操作手段から前記記録手段による記録の中断を検出すると、前記一つの操作手段から前記記録手段による記録の開始を検出するまでの間は、他の操作手段による記録の操作の受付を不実行とすることを特徴とする請求項１に記載の画像記録装置。
【請求項３】
前記制御手段は、前記複数の操作手段とネットワークを介して接続されることを特徴とする請求項１または２に記載の画像記録装置。
【請求項４】
前記操作手段として、前記複数の操作者がそれぞれ操作する端末装置が用いられ、該端末装置によって前記ネットワークを介して前記制御手段に接続されることを特徴とする請求項３に記載の画像記録装置。
【請求項５】
前記制御手段は、前記複数の操作手段のなかの一つの操作手段から前記記録手段による記録の中断を検出し、所定の期間、前記一つの操作手段から前記記録手段による記録の開始を検出しなかった場合、前記記録手段による記録を開始させることを特徴とする請求項３または４に記載の画像記録装置。
【請求項６】
前記制御手段は、前記端末装置を用いた前記操作を検出する際に、前記ネットワークに接続されている前記複数の端末装置のうち特定の端末装置を選定する選定手段を備えたことを特徴とする請求項４または５に記載の画像記録装置。
【請求項７】
前記端末装置は、前記記録手段により前記画像データおよび前記音声データが記録されている際に、該画像データおよび該音声データの検索用の検索情報を入力するための検索情報入力手段を備え、
前記制御手段は、前記検索情報入力手段によって入力された前記検索情報の内容と、該検索情報が入力されたときの時刻情報と、を前記記録手段によって記録させることを特徴とする請求項４〜６のいずれか一つに記載の画像記録装置。
【請求項８】
前記端末装置は、
前記検索情報入力手段から前記画像データおよび前記音声データの検索用の前記検索情報あるいは前記時刻情報が入力されると、該検索情報あるいは前記時刻情報を前記ネットワークを介して前記制御手段に送信し、
前記制御手段は、
前記記録手段によって記録された前記画像データおよび前記音声データのなかから、前記検索情報あるいは前記時刻情報を検索条件とし、該検索条件に該当する前記画像データおよび前記音声データを再生用データとして前記端末装置に送信することを特徴とする請求項７に記載の画像記録装置。
【発明の詳細な説明】
【技術分野】
【０００１】
この発明は、画像データと音声データを記録する画像記録装置に関し、特に、記録する
必要な内容だけを適切かつ簡単に操作でき、発言内容の機密性の保護および操作者の秘匿性の確保をしつつ自由な発言を促進できる画像記録装置に関する。
【背景技術】
【０００２】
従来、会議などを画像データおよび音声データとして記録するシステムが提案されている。会議はコミュニケーションの手段であり、このコミュニケーションの機能を支援するために、非同期的に過去の行動を伝達する手段として、会議を記録することは有効であると考えられる。しかし、会議での発言は公的な意味を持つ場合が多いことから、参加者以外には非公開としておきたい内容などが伝達されないよう、閲覧の方法に制限を設けている場合がある。
【０００３】
たとえば、会議を画像データおよび音声データで記録する際に、撮影時に登録されている参加者がカードなどを利用し、その登録された参加者のみにデータの記録や、閲覧を許可することによって、閲覧許可者の登録など、閲覧制限に必要な繁雑な操作を最小限に抑えるシステムが提案されている（下記特許文献１参照。）。
【０００４】
また、ネットワークを利用したメールなどによる情報伝達システムを用い、カメラから入力される画像により、人間の位置や、状況（たとえば、立ち上がっている、上を向いている、など）を画像認識技術により把握し、情報の適切な伝達方法を選択する技術が述べられている（下記特許文献２参照。）。
【０００５】
【特許文献１】特開２００２−２５１３９３号公報
【特許文献２】特開平９−３０７８６８号公報
【発明の開示】
【発明が解決しようとする課題】
【０００６】
しかしながら、一度会議を画像データと音声データなどの記録に残してしまうと、記録したデータが漏洩することによって、参加者以外のユーザが会議の内容を見たり、聞いたりすることができるため、公開したくない発言内容が含まれている場合にその機密性が保たれなくなる危険性がある。参加者による発言内容の機密性が保護されないと、発言に対する意欲が削がれ、本来コミュニケーションを促進するはずの会議がその役割を果たさなくなるという問題がある。
【０００７】
この問題に対処するため、記録したデータの閲覧(再生)を制限する方法もあるが、この方法で制限できるのは、本人が参加しているか否かの範囲だけであり、参加中の会議の一定期間だけを非公開にするなどの細かい制限を設けることはできない。また、記録したデータのうち機密にしたい部分を後から消去するなどの方法も考えられるが、記録した後の設定や、操作が必要となり、作業をおこなうユーザに負担がかかる。また編集操作をおこなうまでの間に情報が漏洩する可能性や、処理操作自体を失念する可能性もある。
【０００８】
また、会議をビデオカメラなどで撮影する場合は、ビデオカメラに敷設された記録の開始、停止ボタンによって、撮影したくない場面の停止操作をおこなうが、停止ボタンを押下する操作をおこなうためにビデオカメラに近づく様子や、停止ボタンを押下する際の様子がビデオに撮影されると、そのときに停止した会議の参加者が誰であるのかが後で記録を見た者に知られるという、操作者の秘匿性を確保できないという問題があった。
【０００９】
また、上述したような記録の開始、停止の処理は、ネットワークを介して接続される端末装置からおこなうことも可能ではあるが、記録を停止し、再び開始させる前に、制御をおこなっているプログラムが終了する、あるいは、端末装置がネットワークから切断される、などの原因により記録の停止状態が継続される可能性がある。また、上述したような記録の停止をさせることが可能な端末装置の操作を、会議参加者以外のユーザが実行する可能性があるという問題があった。
【００１０】
また、上述した記録の停止ボタンを押下した際の処理が、完全に記録を停止させるものではなく、停止させている間だけ画面全体を黒く表示したり、関係のない画像を記録させる処理などを施す場合、最終的に記録された会議の場面が頻繁に飛んでしまう可能性もあり、記録として見直す際に不便なものとなる。内容によっては閲覧したい箇所をすぐに再生したい場合などがあり、再生箇所の検索ができることが望まれる。
【００１１】
この発明は、上述した従来技術による問題点を解消するため、会議などを画像データおよび音声データとして記録する際に、必要な内容だけを適切かつ簡単に記録できるような操作性の向上を図ることにより、発言内容の機密性の保護および操作者の秘匿性の確保をしつつ自由な発言を促進し、さらに、記録後のデータ検索を効率的におこなうことができる画像記録装置を提供することを目的とする。
【課題を解決するための手段】
【００１２】
上述した課題を解決し、目的を達成するため、請求項１の発明にかかる画像記録装置は、撮影対象となる複数の操作者によって画像および音声の記録動作を操作可能な画像記録装置であって、前記撮影対象を撮影する撮影手段の画像データが入力される画像入力手段と、前記撮影対象の音声を取得する音声取得手段の音声データが入力される音声入力手段と、前記画像入力手段に入力された前記画像データと、前記音声入力手段に入力された前記音声データと、を記録する記録手段と、前記記録手段による記録の開始または中断を切り換える前記操作をおこなうために、前記操作者にそれぞれ設けられる複数の操作手段と、前記複数の操作手段の操作を検出して前記記録手段による前記画像データおよび前記音声データの記録の開始、または中断の制御をおこなう制御手段と、を備えることを特徴とする。
【００１３】
また、請求項２の発明にかかる画像記録装置は、請求項１に記載の発明において、前記制御手段は、前記複数の操作手段のなかの一つの操作手段から前記記録手段による記録の中断を検出すると、前記一つの操作手段から前記記録手段による記録の開始を検出するまでの間は、他の操作手段による記録の操作の受付を不実行とすることを特徴とする。
【００１４】
また、請求項３の発明にかかる画像記録装置は、請求項１または２に記載の発明において、前記制御手段は、前記複数の操作手段とネットワークを介して接続されることを特徴とする。
【００１５】
また、請求項４の発明にかかる画像記録装置は、請求項３に記載の発明において、前記操作手段として、前記複数の操作者がそれぞれ操作する端末装置が用いられ、該端末装置によって前記ネットワークを介して前記制御手段に接続されることを特徴とする。
【００１６】
また、請求項５の発明にかかる画像記録装置は、請求項３または４に記載の発明において、前記制御手段は、前記複数の操作手段のなかの一つの操作手段から前記記録手段による記録の中断を検出し、所定の期間、前記一つの操作手段から前記記録手段による記録の開始を検出しなかった場合、前記記録手段による記録を開始させることを特徴とする。
【００１７】
また、請求項６の発明にかかる画像記録装置は、請求項４または５に記載の発明において、前記制御手段は、前記端末装置を用いた前記操作を検出する際に、前記ネットワークに接続されている前記複数の端末装置のうち特定の端末装置を選定する選定手段を備えたことを特徴とする。
【００１８】
また、請求項７の発明にかかる画像記録装置は、請求項４〜６のいずれか一つに記載の発明において、前記端末装置は、前記記録手段により前記画像データおよび前記音声データが記録されている際に、該画像データおよび該音声データの検索用の検索情報を入力するための検索情報入力手段を備え、前記制御手段は、前記検索情報入力手段によって入力された前記検索情報の内容と、該検索情報が入力されたときの時刻情報と、を前記記録手段によって記録させることを特徴とする。
【００１９】
また、請求項８の発明にかかる画像記録装置は、請求項７に記載の発明において、前記端末装置は、前記検索情報入力手段から前記画像データおよび前記音声データの検索用の前記検索情報あるいは前記時刻情報が入力されると、該検索情報あるいは前記時刻情報を前記ネットワークを介して前記制御手段に送信し、前記制御手段は、前記記録手段によって記録された前記画像データおよび前記音声データのなかから、前記検索情報あるいは前記時刻情報を検索条件とし、該検索条件に該当する前記画像データおよび前記音声データを再生用データとして前記端末装置に送信することを特徴とする。
【発明の効果】
【００２０】
以上説明したように、本発明によれば、会議などを画像データおよび音声データとして記録する際に、必要な内容だけを適切かつ簡単に記録できるような操作性の向上を図ることにより、発言内容の機密性の保護および操作者の秘匿性の確保をしつつ自由な発言を促進し、さらに、記録後のデータ検索を効率的におこなうことができるという効果を奏する。
【発明を実施するための最良の形態】
【００２１】
以下に添付図面を参照して、この発明にかかる画像記録装置の好適な実施の形態を詳細に説明する。
【００２２】
（実施の形態１）
まず、この発明の本実施の形態１にかかる画像記録装置のハードウエア構成について説明する。図１は、この発明の本実施の形態１にかかる画像記録装置のハードウエア構成を示す構成図である。図１は、記録装置１０１と、ビデオカメラ１０２と、マイク１０３と、スイッチ１０４ａ〜１０４ｄと、が接続されている。
【００２３】
図１において、記録装置１０１は、図示しないＣＰＵ、ＲＡＭ、ディスプレイ、ＨＤ（ハードディスク）などを備えており、ビデオカメラ１０２およびマイク１０３によって撮影された画像データおよび音声データを、一時的なバッファリングを目的としたメモリなどを経由し入力する。そして、この発明の記録装置１０１は、ＨＤ（ハードディスク）などに記憶された、画像データおよび音声データを記録するための記録プログラムを、ＣＰＵの制御によりＲＡＭに展開し実行することによって構成されている。入力された画像データおよび音声データは、記録プログラムの制御により、ＨＤ（ハードディスク）や、ＭＯなどの記憶装置にファイル出力される。
【００２４】
そして、記録装置１０１には、音声入力インターフェースを介してマイク１０３が接続され、音声データが取り込まれる。また、画像インターフェースを介してビデオカメラ１０２が接続され、画像データが取り込まれる。スイッチ１０４ａ〜１０４ｄは、オン、オフの２つの状態を保持可能なトグルスイッチで、記録装置１０１にて実行されるアプリケーションソフトウエアによって状態が検知され、使用される。スイッチ１０４ａ〜１０４ｄと記録装置１０１との間は、たとえば、ＵＳＢ（Ｕｎｉｖｅｒｓａｌ  Ｓｅｒｉａｌ  Ｂｕｓ）などのシリアルバス規格にて接続されるものとする。
【００２５】
図２は、この発明の本実施の形態１にかかる記録装置の機能的構成を示すブロック図である。図１にて示した記録装置１０１の機能は、音声入力部２０１と、画像入力部２０２と、制御部２０３と、操作部２０４と、エンコード部２０５と、記録部２０６と、から構成されている。
【００２６】
音声入力部２０１は、マイク１０３などから音声データを入力し、画像入力部２０２は、ビデオカメラなどから画像データを入力する。制御部２０３は、音声入力部２０１および画像入力部２０２から入力した音声データおよび画像データをエンコード部２０５へ送出する。
【００２７】
操作部２０４は、接続されたスイッチ１０４ａ〜１０４ｄの状態を監視し、いずれかのスイッチの状態がオンである場合、制御部２０３にデータ遮断信号を送出する。操作部２０４から、データ遮断信号が入力された場合、無音の音声データ、および、全画素黒の画像データを出力する。これにより、音声および画像の記録を中断する。エンコード部２０５は、制御部２０３より入力した音声データおよび画像データの圧縮処理をおこなう。このときの圧縮アルゴリズムは、ＭＰＥＧ（Ｍｏｖｉｎｇ  Ｐｉｃｔｕｒｅ  Ｅｘｐｅｒｔ  Ｇｒｏｕｐ）１方式を利用するものとする。そして、記録部２０６は、圧縮処理された音声データおよび画像データを、ハードディスクへと記録する。
【００２８】
図３は、この発明の本実施の形態１にかかる画像記録装置の実際の配置の例を示す説明図である。図３は、テーブル３０１と、椅子３０２ａ〜３０２ｄと、が置かれ、テーブル３０１の周りには、記録装置１０１と、ビデオカメラ１０２と、マイク１０３と、スイッチ１０４ａ〜１０４ｄと、が設置されている。
【００２９】
図３は会議を記録する場合の例を示している。テーブル３０１の周りに置かれた椅子３０２ａ〜３０２ｄには一人ずつ会議の参加者が着席する。この会議の様子は、ビデオカメラ１０２によって画像データが撮影され、マイク１０３によって音声データが録音され、それら各データは記録装置１０１に送出されることにより記録される。
【００３０】
そして、各参加者のテーブル３０１上の手元には、各人で操作可能なスイッチ１０４ａ〜１０４ｄが配され、会議中に発言される内容で、記録に残したくない場面などがある場合には、このスイッチ１０４ａ〜１０４ｄの状態をオンまたはオフにすることによって、記録装置１０１の記録の開始および中断の処理を制御するものである。
【００３１】
なお、上述の例では、会議の参加者全てを撮影の対象者として説明した。しかし、会議の参加者のなかには書記や相談役など、基本的に発言をしない参加者も居る。しかし、これらの書記や相談役などの参加者であっても、他の参加者が発言する内容のなかに記録に残したくないと判断するような場合もある。そのため、書記や相談役はテーブル３０１に席がある撮影の対象者ではないが、他の参加者と同様にスイッチ１０４ａ〜１０４ｄを設置してもよい。
【００３２】
また、スイッチ１０４ａ〜１０４ｄと記録装置１０１との接続には、通常、ＵＳＢケーブルを用いることを想定しているが、赤外線（ＩＲ）などの無線方式を利用してもよい。この場合、スイッチ１０４ａ〜１０４ｄを図３の例のように必ずしもテーブル３０１の上に設置する必要がなくなるため、カメラの撮影範囲外からの操作も容易におこなうことができる。
【００３３】
ここで、前記した会議の例を用いて参加者がおこなう操作の手順を示す。まず、会議の開催時にはスイッチ１０４ａ〜１０４ｄの状態がオフに設定される。そして、ビデオカメラ１０２と、マイク１０３が起動され、記録プログラムが開始される。記録プログラムとは、記録装置１０１が、ビデオカメラ１０２とマイク１０３とから送出される画像データと音声データを、画像入力部２０２および音声入力部２０１から入力し、記録部２０６によって記録をおこなうものである。これにより、画像データと音声データの記録が開始される。
【００３４】
ここで、椅子３０２ａに座った参加者が、自分の発言を記録に残したくないと考えた場合、自分の手元にあるスイッチ１０４ａをオン状態にする。記録プログラムは、前記したスイッチ１０４ａのオン状態を、操作部２０４から入力して画像データと音声データの記録を中断する。
【００３５】
椅子３０２ａに座った参加者は、記録に残したくない発言が終了するとスイッチ１０４ａをオフ状態にする。これにより、記録プログラムは、画像データと音声データの記録の中断を解除する（記録を開始する）。
【００３６】
会議の終了時には、参加者が記録装置１０１を操作し、記録プログラムを終了させる。記録装置１０１のハードディスクには、参加者が記録を望まなかった期間を除外した分の画像データと音声データのみが記録される。この記録された画像データおよび音声データは、参加者による発言内容の機密性が保たれ、記録装置１０１に対して操作をおこなった操作者の秘匿性が確保されたものとなる。
【００３７】
なお、本実施の形態１では、音声データを無音とし、画像データは全画素黒の画像データとして記録することによって、画像データと音声データの記録を中断させた。しかし、画像データはそのままの状態にしておき、音声データのみを無音とする、あるいは、制御部２０３からエンコード部２０５の圧縮処理を一時停止させることによって画像データ、音声データともに記録を中断させることも可能である。
【００３８】
また、たとえば、スイッチ１０４ａとスイッチ１０４ｃが設置されたそれぞれの参加者が、同じときに発言の記録を残したくないと考える場合がある。このような場合、各スイッチにて先にオン状態にされた操作を有効とする。また、オフ状態にする場合も、先に押下されたスイッチが有効になるとする。このような参加者全てのスイッチの操作状態が考慮されるモードを、マルチモードと呼ぶ。一方、スイッチ１０４ｃが押下されて記録の中断をおこなった場合、記録の中断を解除する場合も同じスイッチであるスイッチ１０４ｃから操作させるようにすることもできる。このような一人の参加者のスイッチ操作のみが優先されるようなモードを、モノラルモードと呼ぶ。本実施の形態１および２では、これら２つのモードを利用可能とする。
【００３９】
以上説明したように、実施の形態１によれば、会議などを画像データと音声データとして記録している際に、記録に残したくない場面となった場合、参加者がビデオカメラ１０２の前面や記録装置１０１を操作する位置へ行って記録を中断させる操作をおこなうところを撮影されてしまうことなく、スイッチ１０４ａ〜１０４ｄからの操作によって記録を中断させることができるので、操作者の秘匿性が確保され、自由な発言を促すことができる。
【００４０】
また、発言内容などに対し、会議の参加者のうちいずれかひとりでも記録されることを希望しない参加者が居る場合には、スイッチ１０４ａ〜１０４ｄを用い、前述したモノラルモードによるスイッチ操作をおこなうことにより、他の参加者の同意無しに記録装置１０１への記録を制御部２０３によって中断させることができる。
【００４１】
（実施の形態２）
つぎに、この発明の本実施の形態にかかる画像記録装置を含むシステムの適用例について説明する。図４は、この発明の本実施の形態２にかかる画像記録装置を含むシステムの適用例を示す構成図である。
【００４２】
図４は、記録装置１０１と、ビデオカメラ１０２と、マイク１０３が接続され、さらに、ネットワーク４０１を介してユーザ端末装置４０３ａ〜４０３ｄが接続されている。そして、記録装置１０１は、ネットワーク４０１と、ネットワーク４０２を中継するルータとして接続されている。図４では会議の例を示し、会議の各参加者は記録装置１０１とネットワーク４０１を介して接続されるユーザ端末装置４０３ａ〜４０３ｄを利用する。
【００４３】
図１に示したハードウエア構成との違いは、図１では記録装置１０１に対して記録をおこなう際にスイッチ１０４ａ〜１０４ｄを用いて記録中断操作が入力されていたが、図４ではユーザ端末装置４０３ａ〜４０３ｄを用いておこなう。ユーザ端末装置４０３ａ〜４０３ｄによる記録中断操作は、各端末装置にトグルスイッチの機能を備えた外部機器を接続して用いるか、あるいは、後述するＫＢ（キーボード）のキーを割り当てることによって実施する。
【００４４】
また、ユーザ端末装置４０３ａ〜４０３ｄは、参加者が持ち込むノート型のパーソナルコンピュータや、備え付けのデスクトップ型のパーソナルコンピュータなどを利用し、ネットワーク４０１を介して接続される。そして、スイッチ１０４ａ〜１０４ｄを利用するときと同様、ユーザ端末装置４０３ａ〜４０３ｄを利用する場合であっても、図３に示したマルチモードと、モノラルモードの２つの入力形態が利用可能である。
【００４５】
そして、図１に示したハードウエア構成との違いの２つ目は、本実施の形態２の記録装置１０１では、２つのネットワークが接続されている点である。ネットワーク４０１は、ビデオカメラ１０２を用いた撮影対象となる会議参加者のために設置されるものである。また、ネットワーク４０２は会議参加者でないユーザや、他の目的で使用されるネットワークである。このように、図４ではネットワーク４０１を介し、会議の各参加者がユーザ端末装置４０３ａ〜４０３ｄを用いて記録装置１０１の記録中断操作をおこなうものである。
【００４６】
ここで、ユーザ端末装置４０３ａ〜４０３ｄは、ＣＰＵ、ＲＡＭ、ＨＤＤ（ハードディスクドライブ）、ＨＤ（ハードディスク）、ディスプレイ、キーボード、マウスなどがシステムバスを通じて相互に接続された一般的な情報処理装置からなる。ＣＰＵは、装置全体の制御を司り、ＲＡＭは、ＣＰＵのワークエリアとして使用される。ＨＤＤは、ＣＰＵの制御にしたがってＨＤに対するデータのリード／ライトを制御する。ＨＤは、ＨＤＤの制御で書き込まれたデータを記憶する。ディスプレイは、カーソル、メニュー、あるいは、文書データに関するウインドウ（ブラウザ）を表示する。キーボードは、文字、数値、各種指示などの入力のためのキーを備え、データ入力をおこなう。マウスは、カーソルの移動や範囲選択、あるいはウインドウの移動やサイズの変更などをおこなう。
【００４７】
なお、記録装置１０１は、ネットワーク４０１と、ネットワーク４０２間の中継をおこなうルータとしての機能を有している。これにより、ネットワーク４０２からのルーティングを許可させなくする。また、ネットワーク４０２上のＩＰアドレスを備えた図示しない端末装置などからのアクセスを記録プログラム内で許可させないように設定し、記録装置１０１にアクセスできる端末装置を選定することもできる。
【００４８】
また、上述した構成とすることにより、記録装置１０１へおこなう記録中断操作は、図４に示した記録対象となるネットワーク４０１に接続されたユーザ端末装置４０３ａ〜４０３ｄからのみ実行可能にすることができ、ネットワーク４０２を利用する会議参加者以外のユーザからの悪意による操作を防ぐことができる。一方、ネットワーク４０２の場合と同様、ネットワーク４０１に接続されるユーザ端末装置４０３ａ〜４０３ｄのなかでも、記録装置１０１に対して記録中断操作を実行できる端末装置と、できない端末装置と、を選定できるようにしてもよい。この場合、記録装置１０１を制御しているオペレーティングシステム上でのネットワーク設定や、前述した記録プログラムの設定などにより実現させることができる。
【００４９】
図５は、この発明の本実施の形態２にかかる記録装置の機能的構成を示すブロック図である。図５に示すように、音声入力部２０１と、画像入力部２０２と、制御部２０３と、エンコード部２０５と、記録部２０６と、から構成される点は図２と同様であり、制御部２０３に対して中断信号入力部５０１から記録中断信号が入力する構成が異なっている。記録中断信号は、ユーザ端末装置４０３ａ〜４０３ｄから送信されるものである。
【００５０】
中断信号入力部５０１は、ネットワーク４０１から記録中断信号が入力されると、制御部２０３に対し、その後、記録データを遮断するためのタイムアウト（たとえば、１０秒間）分のデータ遮断信号を継続して出力する。データ遮断信号が入力された場合、無音の音声データ、および、全画素黒の画像データが出力される。そして、データ遮断信号出力中に再び記録中断信号が入力された場合には、最新の記録中断信号入力から制御部２０３に対し、タイムアウト分のデータ遮断信号を出力する。
【００５１】
また、ユーザ端末装置４０３ａ〜４０３ｄのいずれかで、後述する記録中断ボタン６０２（図６参照）を押した後、同じく後述する記録再開ボタン６０３（図６参照）を押す前に、ユーザプログラムを終了する、ネットワークから切断される、などの状態になった場合にも、上述したタイムアウトの時間が経過すれば、画像データおよび音声データの記録が再開されるので、ユーザ端末装置４０３ａ〜４０３ｄの動作不良や、ユーザ端末装置４０３ａ〜４０３ｄの使用者の途中退席などにより、記録が中断されたまま再開不能となることを防止することができる。
【００５２】
図６は、この発明の本実施の形態２にかかるユーザ端末装置上で動作するプログラムの表示画面の一例を示す説明図である。図６に示す表示画面６０１は、記録中断ボタン６０２と、記録再開ボタン６０３と、終了ボタン６０４と、メモ入力６０５と、メモ内容６０６と、から構成されている。表示画面６０１は、ユーザ端末装置４０３ａ〜４０３ｄなどから記録装置１０１を制御するためのアプリケーションプログラムによって表示される画面である。
【００５３】
記録中断ボタン６０２は、ビデオカメラ１０２と、マイク１０３と、を用いて画像データおよび音声データを入力し、記録装置１０１にて記録する処理を、途中で一時停止させるためのボタンである。記録再開ボタン６０３は、記録中断ボタン６０２にて記録処理を停止させている場合、その記録処理を再開させるために押下するボタンである。ここで、この記録処理を再開させる処理は、実施の形態１にて示したマルチモードとモノラルモードの２つのモードでおこなうことができる。但し、本実施の形態２では、一人の参加者のスイッチ操作のみが優先されるようなモードとなるモノラルモードを用いることを前提とする。終了ボタン６０４は、これまでに入力されたメモ情報をファイル出力した後、記録装置１０１を制御するプログラムの実行を終了する。
【００５４】
メモ入力６０５は、キーボードやスタイラスペンなどを用い、記録している画像および音声データの重要事項や発言者名など、記録装置１０１にて記録するデータを検索する際のインデックスとなる検索情報の入力をおこなう。各端末装置のメモ入力６０５から入力されたデータと、メモ入力６０５に記入された時刻と、は図６の不図示の登録ボタン、あるいは、終了ボタン６０４を押下することにより、記録装置１０１へ検索用のテーブルとして記録される。メモ内容６０６は、すでにメモ入力６０５から入力された重要事項や、発言者名や、入力された時刻などを表示するためのテキストフィールドである。
【００５５】
なお、上述したメモ入力６０５から入力した検索情報を使用して画像を再生する場合には、ユーザ端末装置４０３ａ〜４０３ｄを利用しておこなうことができる。ユーザ端末装置４０３ａ〜４０３ｄから専用のアプリケーション、または、ブラウザなどを用い、ネットワーク４０１を介して記録装置１０１に検索情報を送信し、検索用のテーブルにより検索をおこなう。このとき検索に使用する検索情報は、前述した重要事項や発言者名、あるいは、会議の時刻や日時などである。
【００５６】
検索情報を受信した記録装置１０１は、検索情報に該当する画像データおよび音声データを検索する。重要事項や発言者名などメモ入力６０５により入力された検索情報にて検索をおこなう場合には、入力した検索条件に対して部分一致などを許すような検索処理にすると該当する確率を上げることができる。また、検索結果に複数該当した場合には、複数の結果を表示できる結果画面などを返すようにしてもよい。また、検索結果が一つであった場合にも、検索された結果の情報が表示される結果画面を返すようにしてもよい。こうすることでユーザ端末装置４０３ａ〜４０３ｄの利用者が検索結果の選択をしやすくすることができる。
【００５７】
結果となる画像データおよび音声データの再生については、メモ入力６０５から入力した検索情報を記録した時刻の付近（たとえば、前後３分間など）のデータのみを、該当する端末装置に対してファイル配信あるいはストリーミング配信する。このときのデータを再生用データと呼ぶ。この再生用データが記録装置１０１から送信されると、検索処理を実行したユーザ端末装置４０３ａ〜４０３ｄのいずれかで画像データおよび音声データとして再生される。なお、上述したファイル配信あるいはストリーミング配信する画像データおよび音声データは、データ全体であっても、あるいは、選択用としてデータの先頭部分（たとえば、１分間など）だけを配信する形態であってもよい。
【００５８】
図７は、この発明の本実施の形態２にかかるユーザ端末装置上で動作するプログラムの一例を示すフローチャートである。図７では、図６に示した表示画面６０１の操作をおこなう際の流れを示すものである。
【００５９】
まず、マウスボタンのクリックにより表示画面６０１内に何らかの入力がなされるのを待つ（ステップＳ７０１）。つぎに、入力された内容を判定する（ステップＳ７０２）。入力された内容が記録中断ボタン６０２の押下の場合は（ステップＳ７０２：記録中断）、記録装置１０１に対し、記録中断信号の送信を開始し（ステップＳ７０５）、記録装置１０１での記録処理は一時停止する。記録中断信号は、たとえば、つぎに記録再開されるまでのタイムアウト以内の時間（たとえば、タイムアウトが１０秒間であれば５秒間など）に１回ずつ継続して送信される。記録中断信号が送信されている間は、記録装置１０１での記録処理は一時停止した状態を保つ。この後、再びステップＳ７０１にて入力を待つ状態に戻る。
【００６０】
つぎに、入力された内容が記録再開ボタン６０３の押下の場合は（ステップＳ７０２：記録再開）、記録装置１０１に対する記録中断信号の送信を停止する（ステップＳ７０６）。このことにより、記録装置１０１での記録処理が再開される。この後、再びステップＳ７０１にて入力を待つ状態に戻る。そして、入力された内容がメモ入力であった場合は（ステップＳ７０２：メモ入力）、メモ入力６０５からテキストのメモが入力される（ステップＳ７０４）。このとき入力されたテキストのメモは、入力された時刻と関連付けられて後述するファイル出力時（ステップＳ７０３）に出力される。
【００６１】
入力された内容が終了ボタン６０４が押下の場合は（ステップＳ７０２：終了）、上述したように、メモ入力された内容がある場合にはその内容と時刻とを取得し、テキストデータをファイルとして出力し（ステップＳ７０３）、そのまま処理を終了する。
【００６２】
以上説明したように、実施の形態２によれば、会議の参加者のうち、いずれかひとりでも記録されることを希望しない場合には、ユーザ端末装置４０３ａ〜４０３ｄを用い、前述したモノラルモードによるスイッチ操作をおこなうことにより、他の参加者の同意無しに記録装置１０１への記録を制御部２０３により中断させることができる。
【００６３】
また、ユーザ端末装置４０３ａ〜４０３ｄが、記録の中断信号を出している間に、機器不良や、会議の参加者が途中退席した場合などは、制御部２０３は中断信号を出したユーザ端末装置４０３ａ〜４０３ｄが有効でなくなったことを検知して記録の中断を解除し、記録再開させることにより意図しない記録データの欠落を防ぐことができる。
【００６４】
また、記録装置１０１が備えるルータとしての機能や、記録プログラムの設定により、ネットワーク４０２に接続された端末装置など、記録対象となる会議の参加者以外の端末装置からの記録装置１０１に対する悪意のある操作を未然に防止することができる。また、会議の参加者が利用するネットワーク４０１に接続される端末装置であっても、記録プログラムの設定により記録装置１０１への記録中断操作をさせなくすることができる。
【００６５】
また、画像や音声データの記録中に、文字データである検索情報をメモ入力６０５から入力し、そのときの時刻情報も同時に記録することにより、記録されたデータの検索性を向上させ、記録後のデータの検索性を向上させることができる。また、記録の中断信号を出すために使用するユーザ端末装置４０３ａ〜４０３ｄから検索情報を記録することにより、ユーザ端末装置４０３ａ〜４０３ｄを多機能化し、有効に活用させることができる。
【産業上の利用可能性】
【００６６】
以上のように、本発明にかかる画像記録装置は、画像データと音声データとを記録する際の発言内容の機密性の保護および操作者の秘匿性を確保するために有用であり、特に会議などの記録をする場合に適している。
【図面の簡単な説明】
【００６７】
【図１】この発明の本実施の形態１にかかる画像記録装置のハードウエア構成を示す構成図である。
【図２】この発明の本実施の形態１にかかる記録装置の機能的構成を示すブロック図である。
【図３】この発明の本実施の形態１にかかる画像記録装置の実際の配置の例を示す説明図である。
【図４】この発明の本実施の形態２にかかる画像記録装置を含むシステムの適用例を示す構成図である。
【図５】この発明の本実施の形態２にかかる記録装置の機能的構成を示すブロック図である。
【図６】この発明の本実施の形態２にかかるユーザ端末装置上で動作するプログラムの表示画面の一例を示す説明図である。
【図７】この発明の本実施の形態２にかかるユーザ端末装置上で動作するプログラムの一例を示すフローチャートである。
【符号の説明】
【００６８】
１０１  記録装置
１０２  ビデオカメラ
１０３  マイク
１０４ａ，１０４ｂ，１０４ｃ，１０４ｄ  スイッチ
２０１  音声入力部
２０２  画像入力部
２０３  制御部
２０４  操作部
２０５  エンコード部
２０６  記録部
３０１  テーブル
３０２ａ，３０２ｂ，３０２ｃ，３０２ｄ  椅子
４０３ａ，４０３ｂ，４０３ｃ，４０３ｄ  ユーザ端末装置
５０１  中断信号入力部
６０１  表示画面
６０２  記録中断ボタン
６０３  記録再開ボタン
６０４  終了ボタン
６０５  メモ入力
６０６  メモ内容
【図１】
2005072768.tif 000003
【図２】
2005072768.tif 000004
【図３】
2005072768.tif 000005
【図４】
2005072768.tif 000006
【図５】
2005072768.tif 000007
【図６】
2005072768.tif 000008
【図７】
2005072768.tif 000009